(57)【特許請求の範囲】
【請求項１】
媒体に記録を行う記録装置と、
前記記録装置の上方に配置され、画像の読み取りを行う画像読取装置と、を備える複合
機であって、
前記記録装置は、液体を用いて記録を行う記録部と、前記記録部に供給される液体を収
容可能な液体収容体と、少なくとも前記記録部と前記液体収容体とが内部に設けられる筐
体と、前記液体収容体と前記記録部とを接続するチューブと、前記記録装置の外装の一部
を構成するとともに、前記記録装置及び前記画像読取装置のうち少なくとも一方を操作す
るための操作パネルと、を有し、
前記操作パネルは、前記筐体に対して同筐体内を露出させる開き位置と露出させない閉
じ位置との二位置間を開閉動作可能に設けられ、
前記液体収容体の少なくとも一部は、前記画像読取装置を開き動作させることなく、前記操作パネルのみを開き動作させることで露出され、
前記操作パネルは、前記筐体において前記記録部により記録が行われた媒体を前記筐体外に排出するための排出口が設けられる面である前記筐体の前面に立設するように設けられることを特徴とする複合機。
【請求項２】
前記液体収容体は、その内部に液体を注入可能な注入口を有し、前記操作パネルを開き
動作させることで前記注入口が露出されることを特徴とする請求項１に記載の複合機。
【請求項３】
前記操作パネルには、前記液体収容体の前記注入口を閉栓可能な栓部材が設けられてい
ることを特徴とする請求項２に記載の複合機。
【請求項４】
前記液体収容体は、前記筐体内の隅角に配置されることを特徴とする請求項１乃至請求
項３のうち何れか一項に記載の複合機。
【請求項５】
媒体に記録を行う記録装置と、
前記記録装置の上方に配置され、画像の読み取りを行う画像読取装置と、を備える複合
機であって、
前記記録装置は、前記媒体を載置部に載置し、給紙部により給紙したのち、前記媒体に記録を行う記録部と、前記記録部に供給される液体を収容可能な液体収容体と、前記記録部と前記液体収容体とを搭載して移動可能な移動体が内部に設けられる筐体と、前記記録装置の外装の一部を構成するとともに、前記記録装置及び前記画像読取装置のうち少なくとも一方を操作するための操作パネルと、を有し、
前記載置部は前記筐体の奥側に形成され、
前記操作パネルは、前記筐体に対して同筐体内を露出させる開き位置と露出させない閉
じ位置との二位置間を開閉動作可能に設けられ、
前記操作パネルは、前記筐体の上部であって且つ前記画像読取装置と隣り合う位置に配置され、
前記操作パネルのヒンジは前記筐体の奥側に形成され、
前記液体収容体の少なくとも一部は、前記操作パネルを開き動作させることで露出されることを特徴とする複合機。
【請求項６】
前記液体収容体は、その内部に液体を注入可能な注入口を有し、前記操作パネルを開き
動作させることで前記注入口が露出されることを特徴とする請求項５に記載の複合機。
【請求項７】
前記注入口を閉栓する栓部材を有し、
前記栓部材は、前記操作パネルを開き動作させることで露出されることを特徴とする請求項６に記載の複合機。
【請求項８】
前記記録装置は、前記筐体内において前記媒体が搬送される搬送経路を有し、前記搬送
経路の少なくとも一部は、前記操作パネルを開き動作させることで露出されることを特徴
とする請求項１乃至請求項７のうち何れか一項に記載の複合機。
【請求項９】
前記操作パネルの開閉状態を検出する検出センサーを備えていることを特徴とする請求
項１乃至請求項８のうち何れか一項に記載の複合機。
【発明の詳細な説明】
【技術分野】
【０００１】
本発明は、液体を用いて記録を行う記録装置の上に画像読取装置が配置された複合機に関する。
【背景技術】
【０００２】
従来から、液体の一例であるインクを用いて媒体に記録を行う記録装置の上方に、画像を読み取り可能な画像読取装置を重ねて配置した複合機が知られている。こうした複合機の一例として、特許文献１には、画像読取部（画像読取装置）が画像形成部（記録装置）の筐体に対して筐体内を露出させる開き位置と露出させない閉じ位置との二位置間を開閉動作可能に設けられたインクジェットプリンタ（複合機）が開示されている。また、このインクジェットプリンタは、その画像形成部の筐体内に、用紙（媒体）に向けてインクを吐出する記録ヘッドと、記録ヘッドに供給されるインクを収容するメインタンクとを備えている。
【先行技術文献】
【特許文献】
【０００３】
【特許文献１】特許第４９４１１１０号公報
【発明の概要】
【発明が解決しようとする課題】
【０００４】
ところで、特許文献１のインクジェットプリンタの場合、メインタンクに収容されるインクの量が僅少になった際には、メインタンクが有する補充口からメインタンク内にインクが注入される。このとき、ユーザーが画像形成部の筐体内に配置されたメインタンクにアクセスするには、画像読取部を閉じ位置から開き位置に開き動作させて、画像形成部の筐体内を露出させる必要がある。一般的に、画像読取部は重量が大きいため、インクの補充の度に画像読取部を開閉動作させることはユーザーにとって負担となる。
【０００５】
本発明は、上記実情に鑑みてなされたものであり、その目的は、上方に画像読取装置が配置された記録装置の内部に設けられた記録用の液体を収容する液体収容体に対して容易にアクセスできる複合機を提供することにある。
【課題を解決するための手段】
【０００６】
以下、上記課題を解決するための手段及びその作用効果について記載する。
上記課題を解決する複合機は、媒体に記録を行う記録装置と、前記記録装置の上方に配置され、画像の読み取りを行う画像読取装置と、を備える複合機であって、前記記録装置は、液体を用いて記録を行う記録部と、前記記録部に供給される液体を収容可能な液体収容体と、少なくとも前記記録部と前記液体収容体とが内部に設けられる筐体と、前記液体収容体と前記記録部とを接続するチューブと、前記記録装置の外装の一部を構成するとともに、前記記録装置及び前記画像読取装置のうち少なくとも一方を操作するための操作パネルと、を有し、前記操作パネルは、前記筐体に対して同筐体内を露出させる開き位置と露出させない閉じ位置との二位置間を開閉動作可能に設けられ、前記液体収容体の少なくとも一部は、前記操作パネルを開き動作させることで露出される。
【０００７】
この構成によれば、操作パネルを開き動作させることにより、画像読取装置を開き動作させることなく、筐体内に配置された液体収容体が露出される。したがって、上方に画像読取装置が配置された記録装置の内部に設けられた記録用の液体を収容する液体収容体に対して容易にアクセスできる。
【０００８】
上記複合機において、前記液体収容体は、その内部に液体を注入可能な注入口を有し、前記操作パネルを開き動作させることで前記注入口が露出されることが好ましい。
この構成によれば、操作パネルを開き動作させることにより、液体収容体の注入口が露出されるため、画像読取装置を開き動作させることなく筐体内に配置された液体収容体に液体を容易に注入できる。
【０００９】
上記複合機において、前記操作パネルには、前記液体収容体の前記注入口を閉栓可能な栓部材が設けられていることが好ましい。
この構成によれば、操作パネルの開閉動作に伴い、液体収容体に対して栓部材を着脱できる。
【００１０】
上記複合機において、前記液体収容体は、前記筐体内の隅角に配置されることが好ましい。
この構成によれば、操作パネルを開き動作させたときに、より液体収容体へアクセスし易い構成にできる。
【００１１】
また、上記課題を解決する複合機は、媒体に記録を行う記録装置と、前記記録装置の上方に配置され、画像の読み取りを行う画像読取装置と、を備える複合機であって、前記記録装置は、液体を用いて記録を行う記録部と、前記記録部に供給される液体を収容可能な液体収容体と、前記記録部と前記液体収容体とを搭載して移動可能な移動体が内部に設けられる筐体と、前記記録装置の外装の一部を構成するとともに、前記記録装置及び前記画像読取装置のうち少なくとも一方を操作するための操作パネルと、を有し、前記操作パネルは、前記筐体に対して同筐体内を露出させる開き位置と露出させない閉じ位置との二位置間を開閉動作可能に設けられ、前記液体収容体は、その内部に液体を注入可能な注入口を有し、前記注入口は、前記操作パネルを開き動作させることで露出される。
【００１２】
この構成によれば、操作パネルを開き動作させることにより、画像読取装置を開き動作させることなく、移動体に搭載された状態で筐体内に配置された液体収容体が露出される。したがって、上方に画像読取装置が配置された記録装置の内部に設けられた記録用の液体を収容する液体収容体に対して容易にアクセスできる。また、液体収容体の注入口が露出されることで、液体収容体に液体を容易に注入できる。
【００１３】
上記複合機において、前記操作パネルは、前記筐体において前記記録部により記録が行われた前記媒体を前記筐体外に排出するための排出口が設けられる面である前記筐体の前面に設けられることが好ましい。
【００１４】
この構成によれば、前方から見たときの操作パネルの視認性を向上できる。
上記複合機において、前記操作パネルは、前記筐体の上部であって且つ前記画像読取装置と隣り合う位置に配置されていることが好ましい。
【００１５】
この構成によれば、上方から見たときの操作パネルの視認性を向上できる。
上記複合機において、前記記録装置は、前記筐体内において前記媒体が搬送される搬送経路を有し、前記搬送経路の少なくとも一部は、前記操作パネルを開き動作させることで露出されることが好ましい。
【００１６】
この構成によれば、操作パネルを開き動作させることにより、画像読取装置を開き動作させることなく筐体内の搬送経路にアクセスできる。すなわち、例えば搬送経路にて媒体が搬送不良を生じた際に、操作パネルを開き動作させることで搬送不良を生じた媒体を容易に除去することができる。
【００１７】
上記複合機においては、前記操作パネルの開閉状態を検出する検出センサーを備えていることが好ましい。
この構成によれば、操作パネルの開閉状態の検出結果に基づいて、複合機の動作を制御できる。
【図面の簡単な説明】
【００１８】
【図１】第一実施形態における複合機を概略的に示す斜視図。
【図２】第一実施形態における複合機内の一部を概略的に示す部分側断面図。
【図３】操作パネルが開き位置にある状態の第一実施形態における複合機を概略的に示す上面図。
【図４】第二実施形態における複合機を概略的に示す斜視図。
【図５】第二実施形態における複合機内の一部を概略的に示す部分側断面図。
【図６】第三実施形態における複合機を概略的に示す斜視図。
【図７】操作パネルが開き位置にある状態の第三実施形態における複合機を概略的に示す上面図。
【図８】第一実施形態の変形例である複合機を概略的に示す部分側断面図。
【図９】第二実施形態の変形例である複合機を概略的に示す部分側断面図。
【図１０】第三実施形態の変形例である複合機を概略的に示す上面図。
【発明を実施するための形態】
【００１９】
（第一実施形態）
以下、複合機の第一実施形態について図を参照して説明する。
図１に示すように、複合機１１は、媒体の一例である用紙Ｐに対して記録を行う記録装置１２と、その上部に配置される画像読取装置１３とを備えている。画像読取装置１３は、例えばスキャナーなどで構成され、載置台１４に載置された原稿を自動的に給送し、原稿に記録されている文字や写真などの画像を読み取り可能に設けられている。一方、記録装置１２は、直方体状の筐体１５を備え、筐体１５の一面（図１において左前方を向く面）には、筐体１５内から筐体１５外へと用紙Ｐが排出される排出口１６が開口している。ここで、筐体１５において排出口１６が設けられている面を複合機１１の前面とし、その反対側の面を複合機１１の背面とする。
【００２０】
筐体１５の前面には、筐体１５内から排出される用紙Ｐが載置される排出トレイ１７が、排出口１６を通じて筐体１５内から記録装置１２の前方に向けて延びるように設けられている。また、この排出トレイ１７の下方には、用紙Ｐが積層状態で載置される媒体カセット１８が、排出トレイ１７と重なるようにして筐体１５に装着されている。そして、筐体１５の上部であって、記録装置１２の前面寄りとなる位置には、記録装置１２が行う記録動作や画像読取装置１３が行う読取動作を操作するための操作パネル２０が設けられている。
【００２１】
筐体１５の上部において、操作パネル２０は、記録装置１２の背面側から前面側に向かう方向に沿って画像読取装置１３と隣り合うように並んで配置されている。すなわち、記録装置１２の筐体１５の上部に設けられる画像読取装置１３及び操作パネル２０は、複合機１１を上面視した際に筐体１５の上部を覆うように配置されている。この操作パネル２０は、例えば電源ボタン２１や表示画面２２、操作ボタン２３等を備え、筐体１５の上面の一部として記録装置１２の外装の一部を構成している。
【００２２】
図２に示すように、記録装置１２の筐体１５内には、用紙Ｐを下方から支持する支持台３１と、支持台３１の上面を含む搬送経路３２に沿って用紙Ｐを搬送する複数のローラー３３が設けられている。これらのローラー３３は、用紙Ｐを上下で挟み込み、回転駆動することで、図２において左側から右側へ向かう方向に用紙Ｐを搬送する。すなわち、記録装置１２の背面側から前面側に向かう方向が、用紙Ｐの搬送方向とされている。
【００２３】
また、筐体１５内において、用紙Ｐの搬送方向において上流側となる記録装置１２の背面寄りの位置には、媒体カセット１８に載置される用紙Ｐを自動的に一枚ずつ搬送経路３２に向けて給紙する自動給紙部３４が設けられている。自動給紙部３４により給紙された用紙Ｐは、ローラー３３によって支持台３１の上面及び排出トレイ１７の上面に沿って搬送される。すなわち、支持台３１及び排出トレイ１７が、搬送経路３２を構成している。搬送経路３２に沿って用紙Ｐを搬送するローラー３３は、用紙Ｐの搬送方向において、自動給紙部３４と支持台３１との間となる位置及び支持台３１と排出トレイ１７との間となる位置にそれぞれ上下で対をなすよう配置されている。
【００２４】
筐体１５内であって、支持台３１の上方には、液体の一例であるインクを用いて用紙Ｐに記録を行う記録ユニット３５が設けられている。記録ユニット３５は、用紙Ｐの搬送方向と交差する走査方向に延びるガイド軸３６に支持される移動体の一例であるキャリッジ３７と、キャリッジ３７に搭載され、用紙Ｐにインクを吐出する記録部の一例である記録ヘッド３８とを備えている。すなわち、本実施形態における記録装置１２は、インクジェット式のプリンターで構成されている。キャリッジ３７は、ガイド軸３６に沿って往復移動し、支持台３１に支持される用紙Ｐの上方を走査可能とされている。そして、キャリッジ３７に搭載される記録ヘッド３８は、支持台３１に支持される用紙Ｐにインクを吐出する。すなわち、記録ユニット３５は、記録ヘッド３８を搭載するキャリッジ３７が走査方向に沿って移動することにより、搬送経路３２を搬送される用紙Ｐの略全域に亘って記録を行うことが可能とされている。
【００２５】
筐体１５内において、用紙Ｐの搬送方向において下流側となる記録装置１２の前面寄りの位置には、インクを収容可能な液体収容体４０が配置されている。液体収容体４０は、例えばインクタンクのような樹脂製の容器で構成され、可撓性を有するチューブ４１によって記録ヘッド３８と接続されている。そして、このチューブ４１を介して、液体収容体４０側から記録ヘッド３８側へ向けてインクが供給可能とされている。すなわち、液体収容体４０は、記録ヘッド３８に供給されるインクを収容可能に設けられ、筐体１５内において所定の位置に配置される所謂オフキャリッジタイプの構成とされている。また、液体収容体４０の上部には、液体収容体４０内にインクを注入可能な注入口４２が設けられている。この注入口４２は、上方に向けて突出し、液体収容体４０に対向する操作パネル２０の下面に取り付けられた栓部材４３によって閉栓されている。栓部材４３は、例えばゴムなどの弾性材料で構成され、操作パネル２０によって注入口４２に付勢されている。
【００２６】
操作パネル２０は、例えばヒンジなどにより、筐体１５に対して回動可能に設けられている。本実施形態において、操作パネル２０は、用紙Ｐの搬送方向において上流側となる端部を支点として、筐体１５内を露出させる開き位置（図２中の二点鎖線で示す位置）と筐体１５内を露出させない閉じ位置（図２中の実線で示す位置）との二位置間を回動（開閉動作）可能とされている。そして、図２において実線で示す閉じ位置から二点鎖線で示す開き位置へと操作パネル２０を開き動作させることで、記録装置１２の筐体１５内における一部分が露出される。すなわち、操作パネル２０は、筐体１５に対して開閉動作可能に設けられることで、筐体１５の上部における一部分を覆うカバーとしても機能する。なお、本実施形態においては、画像読取装置１３も操作パネル２０の場合と同様に、例えばヒンジなどにより、記録装置１２に対して回動可能に設けられている。画像読取装置１３を記録装置１２に対して開き動作させることで、筐体１５内が露出される。
【００２７】
操作パネル２０を開き動作させることで、筐体１５内が露出されると、複合機１１を上面視した際に、インクを収容する液体収容体４０と、搬送経路３２の一部を構成する排出トレイ１７が露出される。また、操作パネル２０を開き動作させることで、操作パネル２０により注入口４２に付勢されていた栓部材４３が、注入口４２から離間する。栓部材４３が注入口４２から離間することで、閉栓されていた注入口４２が開栓される。すなわち、操作パネル２０の開閉動作に伴い、栓部材４３の着脱が行われる。また、操作パネル２０には、操作パネル２０の開閉状態を検出する検出センサー４４が設けられている。なお、本実施形態における複合機１１は、図示しない制御部により、操作パネル２０が開き位置にある状態において記録装置１２の記録動作を実行させないように、検出センサー４４の検出信号に基づいてその動作が制御されている。すなわち、本実施形態における記録装置１２は、液体収容体４０の注入口４２が閉栓され、筐体１５内が露出されていない状態で記録動作を行うよう制御されている。
【００２８】
図３に示すように、記録装置１２の筐体１５内に配置される液体収容体４０は、複数設けられている。本実施形態においては、記録装置１２の前面側且つ走査方向の一端側（図３において右側）となる筐体１５内の隅角に配置され、用紙Ｐの搬送方向と交差する走査方向に沿って四個の液体収容体４０が並んで設けられている。これらの液体収容体４０は、それぞれ異なる色のインクを収容し、それぞれ個別に設けられるチューブ４１を介して記録ヘッド３８にインクを供給する。また、操作パネル２０には、液体収容体４０の個数に対応して、液体収容体４０の注入口４２を閉栓する栓部材４３が四個並んで取り付けられている。
【００２９】
次に、上記のように構成された複合機１１の作用について説明する。
図２及び図３に示すように、複合機１１を構成する記録装置１２が有する液体収容体４０にインクを注入する際には、まず操作パネル２０を閉じ位置から開き位置に開き動作させる。操作パネル２０を開き動作させることで、筐体１５内の隅角に配置された液体収容体４０が露出され、液体収容体４０に筐体１５外からアクセス可能となる。このとき、操作パネル２０が開き動作することで、注入口４２から栓部材４３が一斉に取り外され、液体収容体４０がそれぞれ有する注入口４２が開栓される。すなわち、操作パネル２０を開き動作させることで、露出した注入口４２を介して液体収容体４０にインクを注入することが可能となる。また、操作パネル２０を開き動作させることで、搬送経路３２の一部を構成する排出トレイ１７の一部が露出されるため、例えば搬送経路３２で用紙Ｐが紙詰まりなどの搬送不良を生じたとしても、筐体１５の上部から用紙Ｐを除去することが可能とされる。
【００３０】
一般的に、操作パネル２０は、スキャナーなどで構成される画像読取装置１３と比較して重量が小さいため、開閉動作を行うユーザーの負担が小さい。すなわち、インクの注入や用紙Ｐの除去など、複合機１１を構成する記録装置１２をメンテナンスする際に、画像読取装置１３を開き動作させる必要がないため、ユーザーの負担が小さくなる。
【００３１】
上記実施形態によれば、以下のような効果を得ることができる。
（１）操作パネル２０を開き動作させることにより、画像読取装置１３を開き動作させることなく筐体１５内に配置された液体収容体４０が露出される。したがって、上方に画像読取装置１３が配置された記録装置１２の内部に設けられたインクを収容する液体収容体４０に対して容易にアクセスできる。
【００３２】
（２）操作パネル２０を開き動作させることにより、液体収容体４０が有する注入口４２が露出されるため、画像読取装置１３を開き動作させることなく筐体１５内に配置された液体収容体４０にインクを容易に注入できる。
【００３３】
（３）操作パネル２０に栓部材４３を取り付けることで、操作パネル２０の開閉動作に伴い、液体収容体４０に対して栓部材４３を着脱できる。
（４）液体収容体４０を筐体１５内の隅角に配置することで、操作パネル２０を開き動作させたときに、より液体収容体４０へアクセスし易い構成にできる。
【００３４】
（５）操作パネル２０を筐体１５の上部であって画像読取装置１３と隣り合う位置に設けることで、複合機１１を上方から見たときの操作パネル２０の視認性を向上できる。
（６）操作パネル２０を開き動作させることにより、搬送経路３２の一部である排出トレイ１７が露出されるため、画像読取装置１３を開き動作させることなく搬送経路３２にアクセスできる。すなわち、例えば搬送経路３２にて用紙Ｐが搬送不良を生じた際に、操作パネル２０を開き動作させることで搬送不良を生じた用紙Ｐを容易に除去することができる。
【００３５】
（７）検出センサー４４を設けることで、操作パネル２０の開閉状態に基づいて、複合機１１の動作を制御できる。
（８）操作パネル２０が閉じ位置にあるときに記録装置１２が記録動作を行うよう制御することで、筐体１５内に配置される記録ヘッド３８に大気中の塵埃が付着したり、液体収容体４０内に大気中の塵埃が混入したりすることによる記録品質の低下を抑制できる。
【００３６】
（第二実施形態）
次に、複合機１１の第二実施形態について説明する。第二実施形態における複合機１１は、操作パネル２０の配置が第一実施形態と異なり、その他の構成については第一実施形態と同様である。そのため、同じ構成を備える箇所についてはその説明を省略する。
【００３７】
図４及び図５に示すように、複合機１１を構成する記録装置１２及び画像読取装置１３を操作するための操作パネル２０は、筐体１５の前面において筐体１５内から用紙Ｐが排出される排出口１６よりも上方に設けられている。すなわち、この操作パネル２０は、筐体１５の前面の一部として記録装置１２の外装の一部を構成し、操作パネル２０の下縁が、排出口１６の上縁を構成している。また、操作パネル２０は、例えばヒンジなどにより、鉛直方向において下端となる端部を支点として回動可能に設けられている。そして、図５において実線で示す閉じ位置から二点鎖線で示す開き位置へと操作パネル２０を開き動作させることで、記録装置１２の筐体１５内における一部分が露出される。すなわち、操作パネル２０は、筐体１５に対して開閉動作可能に設けられることで、筐体１５の前側の一部を覆うカバーとしても機能する。
【００３８】
筐体１５内において、記録装置１２の前面寄りとなる位置には、この操作パネル２０の背面と対向するように液体収容体４０が配置されている。また、液体収容体４０の前側且つ上部には、液体収容体４０内にインクを注入可能な注入口４２が設けられている。この注入口４２は、上方に向けて斜め前方に突出し、操作パネル２０が閉じ位置にあるとき、液体収容体４０に対向する操作パネル２０の背面に取り付けられた栓部材４３によって閉栓されている。すなわち、操作パネル２０が閉じ位置から開き動作することで、液体収容体４０の注入口４２が開栓され、操作パネル２０が閉じ位置へと閉じ動作することで、液体収容体４０の注入口４２が閉栓される。
【００３９】
上記第二実施形態によれば、第一実施形態の効果に加えて、以下のような効果を奏する。
（９）操作パネル２０を筐体１５の前面に設けることで、複合機１１を前方から見たときの操作パネル２０の視認性を向上できる。
【００４０】
（第三実施形態）
次に、複合機１１の第三実施形態について説明する。第三実施形態における複合機１１は、操作パネル２０の配置が第一実施形態と異なり、その他の構成については第一実施形態と同様である。そのため、同じ構成を備える箇所についてはその説明を省略する。
【００４１】
図６及び図７に示すように、複合機１１を構成する記録装置１２及び画像読取装置１３を操作するための操作パネル２０は、筐体１５の上部に設けられている。具体的には、筐体１５の上部において、操作パネル２０は、用紙Ｐの搬送方向と交差する走査方向の一端側（図７において右側）に設けられ、画像読取装置１３と隣り合うように並んで配置されている。すなわち、この操作パネル２０は、筐体の上面の一部として記録装置１２の外装の一部を構成している。
【００４２】
また、操作パネル２０は、例えばヒンジなどにより、用紙Ｐの搬送方向において上流側（図７において上側）となる端部を支点として回動可能に設けられている。そして、操作パネル２０を図６に示す閉じ位置から図７に示す開き位置へと開き動作させることで、記録装置１２の筐体１５内における一部分が露出される。すなわち、操作パネル２０は、筐体１５に対して開閉動作可能に設けられることで、筐体１５の上部の一部を覆うカバーとしても機能する。操作パネル２０が開き動作することで、操作パネル２０の下面に取り付けられた栓部材４３が液体収容体４０の注入口４２から離間され、注入口４２が開栓される。一方、操作パネル２０が閉じ動作することで、栓部材４３が注入口４２に付勢され、注入口４２が閉栓される。
【００４３】
また、操作パネル２０が開き動作することで、液体収容体４０だけでなく、筐体１５内に設けられる排出トレイ１７、支持台３１、ローラー３３及びガイド軸３６の一部分（図７において右側部分）もまた露出される。すなわち、搬送経路３２の一部を構成する支持台３１で用紙Ｐの搬送不良が生じたとしても、その用紙Ｐを除去することが可能とされている。さらに、ガイド軸３６の一部分が露出されるため、ガイド軸３６において走査方向における一端側（図７において右側）に記録ユニット３５が位置することで、記録ユニット３５もまた露出可能とされている。
【００４４】
上記第三実施形態によれば、第一実施形態の効果に加えて、以下のような効果を奏する。
（１０）搬送経路３２を構成する支持台３１が露出されるため、支持台３１と記録ユニット３５との間で搬送不良が生じた場合でも、その用紙Ｐを容易に除去できる。
【００４５】
（１１）記録ユニット３５が露出可能に設けられているため、操作パネル２０を開き動作させることで、記録ユニット３５のメンテナンスを行うことができる。
なお、上述した第一乃至第三実施形態は以下のように変更してもよい。また、上記各実施形態に対して以下の変更例は、適宜組み合わせてもよい。
【００４６】
・図８、図９及び図１０に示すように、上記第一乃至第三実施形態のそれぞれは、内部にインクを収容可能な液体収容体４０が、記録ユニット３５を構成するキャリッジ３７に搭載可能とされる所謂オンキャリッジタイプのものとして構成されていてもよい。すなわち、この液体収容体４０は、キャリッジ３７とともに移動可能とされている。そして、操作パネル２０が開き動作されることにより、キャリッジ３７に搭載された液体収容体４０の注入口４２が露出可能とされている。この変更例によれば、上記実施形態での効果に加えて以下の効果を奏する。
【００４７】
（１２）操作パネル２０を開き動作させることにより、画像読取装置１３を開き動作させることなく、キャリッジ３７に搭載された状態で筐体１５内に配置された液体収容体４０が露出される。したがって、上方に画像読取装置１３が配置された記録装置１２の内部に設けられたインクを収容する液体収容体４０に対して容易にアクセスできる。また、液体収容体４０の注入口４２が露出されることで、液体収容体４０にインクを容易に注入できる。
【００４８】
また、このような構成によれば、液体収容体４０がキャリッジ３７に搭載されない所謂オフキャリッジタイプを採用する複合機１１と比較して、液体収容体４０と記録ヘッド３８とを接続するチューブ４１を筐体１５内で引き回す必要がないため、構成を簡易にでき、装置の大型化を抑制できる。
【００４９】
また、図８、図９及び図１０に示すように、このような変形例においては、液体収容体４０の注入口４２を閉栓する栓部材４３が、操作パネル２０に取り付けられる構成ではなく、操作パネル２０とは独立して栓部材４３を設ける構成とされている。この構成によれば、操作パネル２０の開き動作により露出した複数の液体収容体４０のうち、所望の液体収容体４０の注入口４２から栓部材４３を取り外すことができ、他の液体収容体４０に収容されているインクの蒸発や液体収容体４０内に大気中の塵埃等が混入する虞をより低減できる。なお、この構成は、上記第一乃至第三実施形態に示すようなオンキャリッジタイプのものに採用してもよい。
【００５０】
・上記各実施形態において、インクを収容する液体収容体４０は、筐体１５の隅角に配置されなくともよく、例えば、筐体１５内において、筐体１５の前面側且つ走査方向の中央位置に配置される構成であってもよい。筐体１５内における液体収容体４０の配置位置は、操作パネル２０が開き動作することにより露出される位置であればよい。
【００５１】
・上記各実施形態において、操作パネル２０は、記録装置１２の側面又は背面に設けられる構成でもよい。
・上記各実施形態において、操作パネル２０により操作される対象は、記録装置１２だけであってもよいし、画像読取装置１３だけであってもよい。
【００５２】
・上記各実施形態において、液体収容体４０が設けられる個数は、三個以下でも五個以上でもよい。
・上記各実施形態において、操作パネル２０は、回動することで筐体１５に対して開閉動作可能とされる構成に限らず、開き位置と閉じ位置との二位置間を例えばスライド移動することで、筐体１５に対して開閉動作される構成でもよい。
【００５３】
・上記各実施形態において、画像読取装置１３を記録装置１２に対して開閉動作可能に設けられなくともよい。通常、上記各実施形態のように、重量の大きな画像読取装置１３を記録装置１２に対して回動させることで記録装置１２の筐体１５内を露出可能な構成においては、画像読取装置１３の姿勢を維持するためにダンパーなどの機構が新たに必要となる。この点、例えば画像読取装置１３が記録装置１２に対して固定されて設けられる構成とすれば、そのような機構が不要となり、部品点数を減らすことができる。ちなみに、操作パネル２０の重量は小さいため、操作パネル２０にダンパーなどの機構を設ける必要はない。
【００５４】
・上記各実施形態において、記録装置１２の背面から用紙Ｐを挿入することで搬送経路３２へ用紙Ｐを給送する構成でもよい。
・上記各実施形態において、チューブ４１の一部が筐体１５外を延びる構成でもよい。
【００５５】
・上記各実施形態において、搬送経路３２に沿って用紙Ｐを搬送するローラー３３に替えてベルトコンベヤを採用してもよい。
・上記各実施形態において、記録ユニット３５は、記録ヘッド３８が走査方向に移動するシリアルヘッド方式に限らず、記録ヘッド３８が用紙Ｐの搬送方向と交差する方向に長尺に設けられるラインヘッド方式でもよい。
【００５６】
・上記各実施形態において、記録装置１２が記録を行う媒体は、用紙Ｐに限らず、布帛やプラスチックフィルムでもよい。
・上記各実施形態において、複合機１１を構成する記録装置１２は、インク以外の他の流体（液体や、機能材料の粒子が液体に分散又は混合されてなる液状体、ゲルのような流状体を含む）を噴射したり吐出したりして記録を行う流体噴射装置であってもよい。例えば、液晶ディスプレイ、ＥＬ（エレクトロルミネッセンス）ディスプレイ及び面発光ディスプレイの製造などに用いられる電極材や色材（画素材料）などの材料を分散または溶解のかたちで含む液状体を噴射して記録を行う液状体噴射装置であってもよい。また、ゲル（例えば物理ゲル）などの流状体を噴射する流状体噴射装置であってもよい。そして、これらのうちいずれか一種の流体噴射装置に本発明を適用することができる。なお、本明細書において「流体」とは、気体のみからなる流体を含まない概念であり、流体には、例えば液体（無機溶剤、有機溶剤、溶液、液状樹脂、液状金属（金属融液）等を含む）、液状体、流状体などが含まれる。
【符号の説明】
【００５７】
１１…複合機、１２…記録装置、１３…画像読取装置、１５…筐体、１６…排出口、１７…排出トレイ、１８…媒体カセット、２０…操作パネル、３１…支持台、３２…搬送経路、３３…ローラー、３４…自動給紙部、３５…記録ユニット、３６…ガイド軸、３７…キャリッジ（移動体）、３８…記録ヘッド（記録部）、４０…液体収容体、４１…チューブ、４２…注入口、４３…栓部材、４４…検出センサー、Ｐ…用紙。
【図１】
0006805498.tif 000002
【図２】
0006805498.tif 000003
【図３】
0006805498.tif 000004
【図４】
0006805498.tif 000005
【図５】
0006805498.tif 000006
【図６】
0006805498.tif 000007
【図７】
0006805498.tif 000008
【図８】
0006805498.tif 000009
【図９】
0006805498.tif 000010
【図１０】
0006805498.tif 000011